(57)【要約】  植栽用水を貯留可能な貯水部８を備えた植栽容器１と、貯水部８に設置された吸水性の植栽床材と、貯水部８に植栽用水Ｗを供給する給水手段３０とを備え、所定高さを超える植栽用水Ｗを排水するオーバーフロー管１０が貯水部８に設けてある植栽装置であって、貯水部８の底面に給水手段３０の給水速度を下回る排水能力を備えたドレン部２０ａが設けられている。
2012098993.tif 000002
【特許請求の範囲】
【請求項１】
植栽用水を貯留可能な貯水部と吸水性の植栽床材を載置可能な植栽用空間とを備えた植栽容器と、前記貯水部に植栽用水を供給する給水手段とを備え、
所定高さを超える植栽用水を排水するオーバーフロー管が前記貯水部に設けてあり、
前記貯水部の底面に前記給水手段の給水速度を下回る排水能力を備えたドレン部が設けられている植栽装置。
【請求項２】
前記オーバーフロー管と連通した排水管が前記貯水部から下向きに突出形成されており、前記ドレン部は前記貯水部の底面と前記排水管の内面とを連通させるように形成されている請求項１に記載の植栽装置。
【請求項３】
前記ドレン部が鉛直方向に対して角度をなすように延出されている請求項１または２に記載の植栽装置。
【請求項４】
前記ドレン部の側方に植栽用水に含まれる異物を捕捉するための異物捕捉凸部が設けられている請求項１または２に記載の植栽装置。
【発明の詳細な説明】
【技術分野】
【０００１】
本発明は、植栽用水を貯留可能な貯水部を備えた植栽容器と、貯水部に設置された吸水性の植栽床材と、貯水部に植栽用水を供給する給水手段とを備え、貯水部に所定高さを超える植栽用水を排水するオーバーフロー管が設けられた植栽装置に関する。
【背景技術】
【０００２】
この種の植栽装置に関連する先行技術文献情報として下記に示す特許文献１がある。この特許文献１に記された植栽装置では、ポンプなどの給水手段によって植栽容器の貯水部に植栽用水を供給すれば、オーバーフロー管の上端を越えないレベルで植栽用水が貯水部に溜まる。【０００３】
その溜まった植栽用水に一部が浸漬されている植栽床材が植栽用水を吸い上げ、適当量の植栽用水を内部に保持するため、植栽床材に植え付けられた植物を適切に栽培することできる。【０００４】
植栽床材の吸水能力を超える量の植栽用水が供給された場合や、給水手段による植栽用水の供給速度が植栽床材の吸水速度を超える場合は、余分な植栽用水がオーバーフロー管から排水される。【０００５】
特に、複数の植栽容器を上下に積み重ねて用いる場合には、オーバーフロー管から排水された植栽用水は、下方に設置された植栽容器に植栽用水として供給され、最終的に積み重ねた全ての植栽容器の植栽床材が必要量の植栽用水を吸水する。【０００６】
尚、最も下段に設置された植栽容器のオーバーフロー管から排水された植栽用水は、適当な貯水容器に回収することで、必要に応じて、次回の潅水用の植栽用水として利用できる。
【先行技術文献】
【特許文献】
【０００７】
【特許文献１】特開２００９−４５０１５号公報（００２１段落、図２）
【発明の概要】
【発明が解決しようとする課題】
【０００８】
しかし、最も一般的な使用法では、植栽床材に十分に吸水させるために、植栽容器の貯水部に植栽床材の吸水能力を超える十分な量の植栽用水が供給される場合がある。【０００９】
このような場合、特許文献１に記された植栽装置では、オーバーフロー管の上端から下に一定量を超える植栽用水が長く放置される可能性があり、植栽用水が長く放置されると、美観を損ねたりする虞があった。【００１０】
そこで、本発明の目的は、上に例示した従来技術による植栽装置が与える課題に鑑み、植栽容器の貯水部に植栽床材の吸水能力を超える量の植栽用水を供給しても、美観を損ねたりする虞の抑制された植栽装置を提供することにある。
【課題を解決するための手段】
【００１１】
本発明による植栽装置の特徴構成は、
植栽用水を貯留可能な貯水部と吸水性の植栽床材を載置可能な植栽用空間とを備えた植栽容器と、前記貯水部に植栽用水を供給する給水手段とを備え、
所定高さを超える植栽用水を排水するオーバーフロー管が前記貯水部に設けてあり、
前記貯水部の底面に前記給水手段の給水速度を下回る排水能力を備えたドレン部が設けられている点にある。【００１２】
上記の特徴構成による植栽装置では、貯水部の底面に給水手段の給水速度を下回る排水能力を備えたドレン部が設けられているので、給水手段による貯水部への給水が終了した時点で植栽床材に吸水されず貯水部に残留している植栽用水は、ドレン部によって排水される。【００１３】
したがって、貯水部に植栽用水が長く放置されることがなくなり、植栽床材に黴等が発生する、或いは、植栽用水に害虫が発生する等する虞もなく、美観を損ねることもない。【００１４】
しかも、ドレン部の排水能力は給水手段の給水速度を下回るので、給水手段による貯水部への給水中は、貯水部に適当な高さで植栽用水が保持されるため、植栽床材は同植栽用水を適切に吸水し、保水した状態を現出することができる。【００１５】
本発明の他の特徴構成は、前記オーバーフロー管と連通した排水管が前記貯水部から下向きに突出形成されており、前記ドレン部は前記貯水部の底面と前記排水管の内面とを連通させるように形成されている点にある。【００１６】
例えば、ドレン部がオーバーフロー管や排水管の設置位置とは別の位置に形成されている場合は、余分な植栽用水の排水は可能であっても、ドレン部に進入した植栽用水は、貯水部の底面を形成する底壁部材の下面を横向きに伝って移動し易いため、同移動に伴って底壁部材の下面を汚すという問題や、上下に積み重ねられた植栽容器の境界から外部に沁み出すなどの問題が生じる虞がある。【００１７】
しかし、本構成であれば、ドレン部に進入した植栽用水は、先ず、貯水部から下向きに突出形成された排水管の内面を伝って下方に移動し、同排水管の下端から落下することで、一般に下段の植栽容器の貯水部や植栽床材の表面へと確実に到達することになる。【００１８】
また、本構成であれば、ドレン部に進入した植栽用水が同排水管の外面を伝って下方に移動する構成に比して、最下段の植栽容器のドレン部から排水された植栽用水を排水管に外嵌させたホースなどにより適切なタンク内へと確実に回収できる。【００１９】
本発明の他の特徴構成は、前記ドレン部が鉛直方向に対して角度をなすように延出されている点にある。【００２０】
本構成であれば、自重によってドレン部から下方に排水された植栽用水が、ドレン部の真下から側方に変位した位置に落下するため、結果的に、一段下の植栽容器に設置された植栽床材が潅水されることになり好都合である。【００２１】
本発明の他の特徴構成は、前記ドレン部の側方に植栽用水に含まれる異物を捕捉するための異物捕捉凸部が設けられている点にある。【００２２】
本構成であれば、貯水部に貯水されている植栽用水の水面上、水中または貯水部の底面付近に異物が浮遊している場合も、これらの異物の多くが異物捕捉凸部によって捕捉されるため、ドレン部がこれらの異物によって閉塞され難くなり、正常な排水状態が確保される。
【図面の簡単な説明】
【００２３】
【図１】本発明に係る植栽装置の全体を示す正面図である。
【図２】植栽床材を設置した植栽容器の要部を示す破断側面図である。
【図３】植栽容器の全体を概略的に示す斜視図である。
【図４】図１に示す植栽装置の要部を示す斜視図である。
【図５】図４に示す植栽容器のドレン部を示す斜視図及び断面図である。
【図６】第２実施形態によるドレン部を示す斜視図及び断面図である。
【図７】第３実施形態によるドレン部を示す斜視図及び断面図である。
【図８】第４実施形態によるドレン部を示す斜視図及び断面図である。
【図９】第５実施形態によるドレン部を示す斜視図及び断面図である。
【図１０】オーバーフロー管に遮蔽板を設けた実施形態を示す斜視図である。
【発明を実施するための形態】
【００２４】
以下に本発明を実施するための形態について図面を参照しながら説明する。
本発明に係る植栽装置は、図１に示すように、植栽用水Ｗを貯留可能な貯水部８を備えた植栽容器１と、貯水部８に植栽用水Ｗを供給する電動式などのポンプ３０（給水手段の一例）とを備える。植栽容器１は合成樹脂製の横方向に長い形状を備える。
【００２５】
植栽容器１を１つだけ使用して植栽することも可能であるが、一般に、植栽用空間２の開口部を同じ方向に向けた状態で、複数の植栽容器１を上下に積み重ねた状態で用いられる。その場合、必要に応じて、多数段に積み重ねた植栽容器１の角部にアングル材１７を配置し、植栽容器１とアングル材１７を適当な連結具１８により連結することができる。
【００２６】
（植栽容器の概略構成）
図３に示すように、個々の植栽容器１は、底壁３とその底壁３の三辺から上方に立設される１つの長側壁４と２つの短側壁５を一体的に備えることで、内部に植栽用空間２を形成している。また、底壁３の上面の一部からは、短側壁５と平行に延びる３つの仕切り壁６も一体的に立設されている。
【００２７】
したがって、図４に示すように、植栽容器１の上面に他の植栽容器１または蓋部材１ａを載置して取り付けると、植栽用空間２が３つの仕切り壁６によって合計４個の単位植栽用空間２ａに区画され、各単位植栽用空間２ａの開口部が前面に位置するように構成されている。
【００２８】
底壁３の前端からは上下長さの短い前壁７が上方に立設されていて、植栽容器１の底壁３、長側壁４、短側壁５、仕切り壁６、前壁７が互いに協働して、植栽用水Ｗを貯水するための貯水部８を形成している。
【００２９】
貯水部８も仕切り壁６により合計で４個の単位貯水部８ａに区画されて、各単位植栽用空間２ａの下部に配置され、各仕切り壁６と長側壁４との間に形成された隙間が、各単位貯水部８ａどうしを横方向で連通する連通路９として機能するように設定されている。
【００３０】
図２に示すように、植物Ｐはスポンジ状などの吸水性材料からなる植栽床材Ａに植え付けられており、一般に、１つの単位植栽用空間２ａに１つの植栽床材Ａが載置される。
【００３１】
各単位貯水部８ａの底壁３は、水平に延出された後方底壁３ａと、後方底壁３ａの前端から各単位植栽用空間２ａの開口部側に向かって次第に上方に位置するように前上がりに傾斜（傾斜角α）した前方底壁３ｂとを有する。傾斜角αの値は例えば約１４°とすればよい。
【００３２】
単位植栽用空間２ａに載置された植栽床材Ａの後端は後方底壁３ａに載置され、同植栽床材Ａの前端は概して前方底壁３ｂの前端付近に載置される。
【００３３】
植栽床材Ａは、例えば、保水性充填材（ピートモス）、ウレタンプレポリマー、ポリエステル系ポリオール、水を１００：１２０：１：８００などの割合（数値はいずれも重量部）で混合して適当な形状に成形することで調製できる。植栽床材Ａの形状は特に限定されず、立方体、直方体、または、円柱状などの各種形状のものを適用できる。
【００３４】
植栽容器１の後方底壁３ａには、所定高さを超える植栽用水Ｗを排水することで、貯水部８内における植栽用水Ｗを一定量以下に維持するためのオーバーフロー管１０が上向きに突設されている。ここでは、オーバーフロー管１０は、貯水部８内で且つ左右の仕切り壁６の後方に位置する２つのオーバーフロー管１０からなる。
【００３５】
尚、オーバーフロー管１０の下方には、オーバーフロー管１０に進入した植栽用水Ｗを下方に案内するための排水管１１が一体的に連接されている。
【００３６】
他方、左右中央に位置する仕切り壁６の後方には、後述する植栽用水汲み上げ用の給水ホースＨ２を案内するための案内筒１３が、後方底壁３ａを上下に貫通する状態で一体的に設けられている。
【００３７】
互いに前後方向で隣接する仕切り壁６とオーバーフロー管１０との間は、オーバーフロー管１０と同等の高さを有するように、後方底壁３ａから立設された板状の第１補強リブ１９ａによって連結されている。
【００３８】
また、互いに前後方向で隣接する仕切り壁６と案内筒１３との間は、板状の第２補強リブ１９ｂによって連結されている。さらに、案内筒１３は、案内筒１３と最も近接した長側壁４の部位との間も、案内筒１３と同等の高さを有するように前後方向に延出された板状の第３補強リブ１９ｃによって連結されている。
【００３９】
案内筒１３と後方の長側壁４との間は第３補強リブ１９ｃによって仕切られているため、案内筒１３と仕切り壁６の間に形成された第２補強リブ１９ｂには、案内筒１３の左右に位置する２つの単位植栽用空間２ａの間での植栽用水Ｗの行き来を許す切り欠き１９ｐが形成されている。
【００４０】
切り欠き１９ｐの最下端の高さは約７〜８ｍｍであり、オーバーフロー管１０の高さ（約１４ｍｍ）を十分に下回るように設定されている。
【００４１】
尚、第２補強リブ１９ｂに形成された切り欠き１９ｐの代わりに、第３補強リブ１９ｃの下端付近に案内筒１３の左右に位置する２つの単位植栽用空間２ａの間での植栽用水Ｗの行き来を許す切り欠きを設けてもよい。
【００４２】
複数の植栽容器１どうしを上下に積み重ねる際の利便性のために、各仕切り壁６の上縁は、底壁３の傾斜に対応する傾斜上縁６ａとされている。
【００４３】
同様の目的で、底壁３の周部には嵌合用の段部３ｓが設けられており、短側壁５の上縁には、短側壁５の下縁に設けられた円形の柱状体１２ａが嵌入する凹入部１４が設けられている。
【００４４】
つまり、図４に示すように、植栽容器１を上下に積み重ねた際、上方に位置する植栽容器１の底壁３の下面が、下方に位置する植栽容器１の仕切り壁６の傾斜上縁６ａに当接するように設定されている。
【００４５】
さらに、前述の当接とほぼ同時に、上方に位置する植栽容器１の底壁３の段部３ｓが、下方に位置する植栽容器１の上面開口部に、また、柱状体１２ａが凹入部１４に嵌入するように設定されている。
【００４６】
最上方に位置する植栽容器１の上面開口部に載置可能な蓋部材１ａには、短側壁５の凹入部１４に嵌入する凸部１５が設けられている。
【００４７】
また、蓋部材１ａの下面には、給水ホースＨ２の先端部（または、同先端部付近に取り付けた分岐継手Ｊ２）の向きを特に左右方向に関して適切に保持するためのガイド部材１６も設けられている。
【００４８】
尚、短側壁５の下縁に設けられた柱状体１２ａは、必要に応じて、植栽用水Ｗを側面から供給する手段としても利用できる。
【００４９】
この場合は、同柱状体１２ａの内部を封鎖している壁部材に貫通孔を形成し、同貫通孔に植栽用水汲み上げ用のホースを接続すればよい。
【００５０】
図１に例示するように、室内などの床面に配置したケーシング１ｃの上に複数段の植栽容器１を各部の嵌合によって連結し、各植栽容器１に給水するための植栽用水Ｗを貯留可能な植栽用水タンク１ｂをケーシング１ｃの内部に配置した形態で実施することができる。
【００５１】
図１に示す例では、ケーシング１ｃと植栽容器１との間で平面視での輪郭形状を共通化し、且つ、植栽用水タンク１ｂの内部にポンプ３０を設置することで、植栽装置の全体として外観的にシンプルで優れたものとなる。
【００５２】
各植栽容器１のオーバーフロー管１０などから排水された余分な植栽用水Ｗは、最下段のオーバーフロー管１０の下方に連接された排水管１１と、排水管１１の下端に外嵌された排水ホースＨ３とを介して植栽用水タンク１ｂに回収される。尚、オーバーフロー管１０及び排水管１１の内径は約１４〜１５ｍｍとされている。
【００５３】
植栽用水タンク１ｂに回収された植栽用水Ｗは、ポンプ３０の出口と植栽用水タンク１ｂの上面に設置されたジョイントＪ１とを接続する槽内ホースＨ１と、ジョイントＪ１から各案内筒１３を介して上方に案内される給水ホースＨ２とを介して、最上段の植栽容器１に供給されるという形で無駄なく使用することができる。
【００５４】
給水ホースＨ２の先端は分岐継手Ｊ２によって二つに分岐されて、最上段の植栽容器１の左右の単位貯水部８ａにほぼ均等に供給される。
【００５５】
各植栽床材Ａは、その下部を単位貯水部８ａ内の植栽用水Ｗに浸した状態で載置される。したがって、各植栽床材Ａが植栽用水Ｗを吸水しながら、植物Ｐの根Ｒに植栽用水Ｗを供給して植栽することができる。
【００５６】
前述したように、植栽床材Ａを載置する前方底壁３ｂが、各単位植栽用空間２ａの開口部側ほど上方に位置し開口部から遠ざかる側ほど下方に位置する傾斜角αを有する傾斜面に形成されている。
【００５７】
したがって、植栽床材Ａは、図２に示すように、開口部から遠ざかる側が植栽用水Ｗ内に浸漬し、開口部側が植栽用水Ｗに少しだけ浸漬するか、場合によっては、植栽用水Ｗに浸漬しない状態となる。
【００５８】
その結果、植物Ｐの根圏（植物の根Ｒが生長して伸びようとする領域）を大きく確保することができ、かつ、その根圏に対して十分な量の植栽用水Ｗが供給されるため、植物の良好な生育が確保される。
【００５９】
（ドレン部の構成）
図３−図１０に示すように、貯水部８の底面には、貯水部８に残留した植栽用水Ｗを比較的短時間で排水するためのドレン部２０ａ，２０ｂ，２０ｃ，２０ｄ，２０ｅ，２０ｆが設けられている。
【００６０】
したがって、ポンプ３０による貯水部８への給水が終了した時点で植栽床材Ａに吸水されず貯水部８に残留した植栽用水Ｗは、ドレン部２０ａ，２０ｂ，２０ｃ，２０ｄ，２０ｅ，２０ｆによって排出されるので、貯水部８に長く放置されることがない。その結果、植栽床材Ａや植栽用水Ｗに害虫や黴その他の微生物が発生し難くなっている。
【００６１】
ドレン部２０ａ，２０ｂ，２０ｃ，２０ｄ，２０ｅ，２０ｆはいずれも貯水部８の底面と排水管１１の内面とを連通させるように形成されている。
【００６２】
各ドレン部２０ａ，２０ｂ，２０ｃ，２０ｄ，２０ｅ，２０ｆを構成する孔の内径またはスリットの間隙寸法は、ドレン部による排水能力がポンプ３０の給水速度を下回るように設定されている。
【００６３】
したがって、ポンプ３０による貯水部８への給水中は、貯水部８に１０ｍｍ以上などの適当な高さで植栽用水Ｗが保持されるため、植栽床材Ａは植栽用水Ｗを適切な効率で吸水し、保水した状態を現出することができる。
【００６４】
また、ドレン部２０ａ，２０ｂ，２０ｃ，２０ｄ，２０ｅ，２０ｆを構成する孔の内径またはスリットの寸法は、植栽用水Ｗに含まれる粒子状や繊維状などの異物によってドレン部２０ａ，２０ｂ，２０ｃ，２０ｄ，２０ｅが閉塞され難い適切な大きさを有するように設定されている。
【００６５】
（第１実施形態）
図３−図５に示す第１実施形態によるドレン部２０ａは、オーバーフロー管１０の側面に形成された一つの貫通孔状を呈し、同貫通孔はオーバーフロー管１０の径方向に延び、同貫通孔の下端の位置は貯水部８の底面のレベルと一致している。ここでは、ドレン部２０ａの内径は約５ｍｍとされている。
【００６６】
より具体的には、図５（ａ）に例示するように、オーバーフロー管１０を構成する円筒状部位の一部が、平面視において径方向内側に突出する逆向きの円弧状を備えた凹状壁部１０ａによって構成されており、ドレン部２０ａは同凹状壁部１０ａの下端に横向きに貫通形成される形で、貯水部８の底面と排水管１１の内面とを連通させている。
【００６７】
ドレン部２０ａの上流側端部の側方には、径方向外向きに突出した左右一対の異物捕捉凸部２１ａが設けられている。図５（ｂ）に示すように、異物捕捉凸部２１ａは後方底壁３ａの上面と凹状壁部１０ａの外周面とが交差する位置に中心を有する部分球面状を呈している。
【００６８】
凹状壁部１０ａは、平面視においてオーバーフロー管１０の全周の四分の一を若干下回る周長を備え、最も左右外側の単位植栽用空間２ａに面するように配置され、その前方寄りの端部は第１補強リブ１９ａに隣接するように配置されている。
【００６９】
その結果、左右一対の各ドレン部２０ａは、平面視において後方向き且つ左右の内側向きに延出される形態になっている。
【００７０】
ドレン部２０ａは、鉛直方向に対して角度をなすように、ここでは概して水平方向に延出されているので、ドレン部２０ａから排出される植栽用水Ｗの大半は図５（ｂ）に例示するように、基本的に下方に至るほど凹状壁部１０ａから横向きに離間する放物線を描きながら落下し、下方に位置する別の植栽容器１のオーバーフロー管１０の内部ではなく、オーバーフロー管１０以外の後方底壁３ａに到達する。
【００７１】
（第２実施形態）
図６に例示する植栽容器１では、オーバーフロー管１０を構成する円筒状部位の一部に平板状壁部１０ｂが形成されており、この平板状壁部１０ｂにドレン部２０ｂが設けられている。
【００７２】
平板状壁部１０ｂは、最も左右外側の単位植栽用空間２ａの開口部に面しており、平面視において第１補強リブ１９ａに対して傾斜している。
【００７３】
ドレン部２０ｂは、平板状壁部１０ｂの下端に横向きに形成される貫通孔の形態で、貯水部８の底面と排水管１１の内面とを連通させている。
【００７４】
尚、平板状壁部１０ｂの径方向その側の面には、ドレン部２０ｂの内径と同等の幅の溝部１０ｄが上下方向に形成されている。
【００７５】
ここでは、溝部１０ｄに対して径方向外向きに突出した左右の平板状壁部１０ｂの部位の下端付近が異物捕捉凸部２１ｂを構成している。
【００７６】
ここでも、ドレン部２０ｂは、概して水平方向に延出されているので、ドレン部２０ｂから排出される植栽用水Ｗの大半は図６（ｂ）に例示するように、基本的に下方に至るほど平板状壁部１０ｂから横向きに離間する放物線を描きながら落下し、下方に位置する別の植栽容器１のオーバーフロー管１０の内部ではなく、オーバーフロー管１０以外の後方底壁３ａに到達する。
【００７７】
（第３実施形態）
図７に例示する植栽容器１では、オーバーフロー管１０を構成する円筒状部位の一部が、平面視において径方向内側に突出するアーチ状壁部１０ｃによって構成されている。
【００７８】
第１及び第２実施形態とは異なり、このドレン部２０ｃはアーチ状壁部１０ｃの一部にではなく、アーチ状壁部１０ｃの最も径方向内側に位置する天井部に沿うように、後方底壁３ａに対して上下向きに形成される貫通孔の形態で、貯水部８の底面と排水管１１の内面とを連通させている。
【００７９】
ドレン部２０ｃはオーバーフロー管１０の基本的な外周面よりも径方向内側に引退した位置に形成されている。ここでは、ドレン部２０ｃに対して径方向外向きに突出した左右のオーバーフロー管１０の外周面の下端付近が異物捕捉凸部２１ｃを構成している。
【００８０】
ドレン部２０ｃから排出される植栽用水Ｗの大半は、図７（ｂ）に例示するように、排水管１１の内部を落下し、下方に位置する別の植栽容器１のオーバーフロー管１０の内部またはオーバーフロー管１０以外の後方底壁３ａに到達する。
【００８１】
図７に例示する形態の植栽容器１では、ドレン部２０ｃが長側壁４、短側壁５、仕切り壁６などと同じく上下方向に延設されている。
【００８２】
したがって、植栽容器１を樹脂の射出成形によって製作する際、上下に分割される２つの金型（不図示）にドレン部２０ｃを成形するための凸部を設けておくことで、植栽容器１の成形時にドレン部２０ｃを同時成形することが可能である。
【００８３】
（第４実施形態）
図８に例示する植栽容器１に設けられたドレン部２０ｄは、オーバーフロー管１０を構成する円筒状部位の周方向の一部に形成された縦スリットの形態を備えている。
【００８４】
この縦スリットはオーバーフロー管１０の全長に亘って上下方向に延び、貯水部８の底面と排水管１１の内面とを連通させている。
【００８５】
このスリット状のドレン部２０ｄから排出される植栽用水Ｗの大半は、図８（ｂ）に例示するように、排水管１１の内部を落下し、下方に位置する別の植栽容器１のオーバーフロー管１０の内部またはオーバーフロー管１０以外の後方底壁３ａに到達する。
【００８６】
図８に例示する形態の植栽容器１でも、縦スリット状のドレン部２０ｄが長側壁４、短側壁５、仕切り壁６などと同じく上下方向に延設されている。
【００８７】
したがって、植栽容器１を樹脂の射出成形によって製作するための上下に分割される２つの金型（不図示）にドレン部２０ｄを成形するための凸部を設けておくことで、植栽容器１の成形時にドレン部２０ｄを同時成形することが可能である。
【００８８】
（第５実施形態）
図９に例示する植栽容器１では、オーバーフロー管１０は単純な円筒形を呈しており、ドレン部２０ｄは、第１補強リブ１９ａの外側面と隣接するように、オーバーフロー管１０の下端に横向きに形成される貫通孔の形態で、貯水部８の底面と排水管１１の内面とを連通させている。
【００８９】
このドレン部２０ｅは概して水平方向に延出されているので、ドレン部２０ｅから排出される植栽用水Ｗの大半は、図９（ｂ）に例示するように、基本的に下方に至るほど第１補強リブ１９ａから横向きに離間する放物線を描きながら落下し、下方に位置する別の植栽容器１のオーバーフロー管１０の内部ではなく、オーバーフロー管１０以外の後方底壁３ａに到達する。
【００９０】
（第６実施形態）
図１０に示す植栽容器１では、各仕切り壁６の下部には、各単位貯水部８ａどうしを横方向で連通する連通路９が概して矩形の切り欠き状に形成されている。
【００９１】
ドレン部２０ｆは、オーバーフロー管１０の側面に形成された一つの貫通孔状を呈し、同貫通孔はオーバーフロー管１０の径方向に延び、その内径は約３ｍｍとされている。
【００９２】
図１０（ｂ）に示すように、同貫通孔の下端の位置は貯水部８の実質的な底面を構成する中央底壁３ｃの上面から５ｍｍ高いレベルに設定されている。これは、ドレン部２０ｆが植栽用水Ｗに含まれる粒子状や繊維状などの異物によって閉塞される現象をさらに抑制するためである。
【００９３】
図６（ａ）と図６（ｂ）に示すように、オーバーフロー管１０を構成する円筒状部位の一部（対応する仕切り壁６よりも中央寄りで前方部位）が、概して長側壁４と平行に延出する平板状壁部１０ｂによって構成されている。
【００９４】
ドレン部２０ｆは、この平板状壁部１０ｂの下端に前後向きに貫通形成される形で、貯水部８の底面と排水管１１の内面とを連通させている。
【００９５】
ドレン部２０ｆの左右側方及び下方には、径方向外向きに突出した異物捕捉凸部２１ｄが設けられている。異物捕捉凸部２１ｄは、特にドレン部２０ｆの左右側方において概して前方に突出する部分球面状を呈している。
【００９６】
ドレン部２０ｆは、鉛直方向に対して角度をなすように、ここでは概して前後水平方向に延出されているので、ドレン部２０ｆから排出される植栽用水Ｗの大半は、基本的に下方に至るほど平坦壁部１０ｂから後方向きに離間する放物線を描きながら落下し、下方に位置する植栽容器本体１のオーバーフロー管１０以外の貯水部８または植栽床材Ａに到達する。
【００９７】
尚、この実施形態では、長側壁４の下端から前方に向かって斜め下方に延びる後方底壁３ａと、後方底壁３ａの下端から下方の概して水平な中央底壁３ｃに向かって概して長側壁４と平行に延びる中間縦壁３ｄとが備えられている。ドレン部２０ｆは上下方向に関してこの中間縦壁３ｄの中間付近のレベルに配置されている。
【００９８】
図１０（ａ）と図１０（ｂ）に示すように、オーバーフロー管１０の上端よりも上方には遮蔽板２４が設けられている。
【００９９】
遮蔽板２４は、オーバーフロー管１０の上端またはドレン部２０ｆからオーバーフロー管１０内に進入し、排水管１１から流下した植栽用水Ｗが、下方の植栽容器１の貯水部８に供給されずにオーバーフロー管１０に入ってしまうのを抑制する手段である。
【０１００】
遮蔽板２４は、左右２つの仕切り壁６の外側の各側面から、オーバーフロー管１０の軸心と交差し、且つ、平面視においてオーバーフロー管１０の開口部の大半を覆うように横向きに突出形成されている。
【０１０１】
オーバーフロー管１０の上端部のうちで、仕切り壁６との境界に相当する前後の２箇所からは、一対の接続部２５が遮蔽板２４に向かって真上に延出し、遮蔽板２４の前端及び後端と滑らかに連結されている。
【０１０２】
また、遮蔽板２４の接続部２５を除く周縁部からは薄板状の案内壁部２６が上向きに立設されている。その結果、遮蔽板２４の上面は、仕切り壁６と案内壁部２６とで挟まれることで、前後に延出した溝状の流路を形成している。
【０１０３】
すなわち、上方の植栽容器１のオーバーフロー管１０の上端またはドレン部２０ｆから排水管１１を経て流下する植栽用水Ｗがオーバーフロー管１０に向かって落下してきても、その大半は遮蔽板２４の上面で受けられ、仕切り壁６と案内壁部２６とに案内されて、前後の接続部２５に沿ってオーバーフロー管１０の外周などから貯水部８に供給される。
【０１０４】
したがって上方の植栽容器本体１の排水管１１から大量の植栽用水Ｗがオーバーフロー管１０の内面に直接進入することはない。
【０１０５】
貯水部８に溜まった過剰な植栽用水Ｗは、オーバーフロー管１０の上端と遮蔽板２４の下面に形成された開口部Ｑから、オーバーフロー管１０の内側にオーバーフローする。
【０１０６】
〔別実施形態〕
（１）先の第１から第５の各実施形態では、植栽床材Ａを載置する載置面を、貯水部８の後方底壁３ａと前方底壁３ｂにより形成した例を、また、第６の実施形態では、同載置面を、中央底壁３ｃ及び後方底壁３ａなどにより形成した例を示した。
【０１０７】
しかし、例えば、貯水部８の後端から前端まで水平に延出された平坦な底壁３によって構成し、その底壁３の前方寄りの位置に、複数の傾斜リブを載置面形成部材として設けてもよい。
【０１０８】
この場合、複数の傾斜リブの上端面が植栽床材Ａを載置する載置面を構成しており、同上端面が、植栽用空間２ａの開口部側ほど上方に位置し開口部から遠ざかる側ほど下方に位置する傾斜角αを有する傾斜面になっている。
【０１０９】
そのような複数の傾斜リブは、底壁３と一体化しておくことができるが、或いは、傾斜リブを底壁３とは別体としておくこともできる。別体の場合は、底壁３の上で移動自在に載置する形態で実施することができるが、底壁３の上の特定位置に固定してもよい。
【０１１０】
先の第１から第５の各実施形態では、載置面を構成する前方底壁３ｂの傾斜角αの数値例を１４°としたが、貯水部８における植栽用水Ｗの水位と植栽床材Ａの大きさ、および、植物Ｐの特性などに応じて適宜設定することができる。また、傾斜リブを前方底壁３ｂと別体にする場合には、傾斜角αの異なる複数種類の傾斜リブを予め準備しておいて選択使用することもできる。
【０１１１】
（２）先の各実施形態では、オーバーフロー管１０と案内筒１３とをそれぞれ仕切り壁６と一体化して設けた例を示したが、オーバーフロー管１０と案内筒１３を仕切り壁６から離して、仕切り壁６の後方などに設けてもよい。
【０１１２】
（３）先の各実施形態では、仕切り壁６により植栽用空間２を左右に並置された複数の単位植栽用空間２ａに区画した例を示したが、仕切り壁６により植栽用空間２を単位植栽用空間２ａに区画することなく、単一の植栽用空間２を有する状態で実施することもできる。さらに、仕切り壁６を設ける場合に区画する単位植栽用空間２ａの個数については任意であり、２個以上の単位植栽用空間２ａに区画して実施することができる。
【産業上の利用可能性】
【０１１３】
植栽用水を貯留可能な貯水部を備えた植栽容器と、貯水部に設置された吸水性の植栽床材と、貯水部に植栽用水を供給する給水手段とを備え、貯水部に所定高さを超える植栽用水を排水するオーバーフロー管が設けてある植栽装置を、植栽容器の貯水部に植栽床材の吸水能力を超える量の植栽用水を供給しても、外観が損なわれ難くするための技術として利用できる。
【符号の説明】
【０１１４】
１      植栽容器
１ｂ    植栽用水タンク
２      植栽用空間
２ａ    単位植栽用空間
３      底壁
３ａ    後方底壁（底壁）
３ｂ    前方底壁（底壁）
８      貯水部
８ａ    単位貯水部
１０    オーバーフロー管
１１    排水管
２０    ドレン部（２０ａ，２０ｂ，２０ｃ，２０ｄ，２０ｅ，２０ｆ）
２１ａ  異物捕捉凸部
２１ｂ  異物捕捉凸部
２１ｃ  異物捕捉凸部
３０    ポンプ（給水手段）
Ａ      植栽床材
Ｗ      植栽用水
【図１】
2012098993.tif 000003
【図２】
2012098993.tif 000004
【図３】
2012098993.tif 000005
【図４】
2012098993.tif 000006
【図５】
2012098993.tif 000007
【図６】
2012098993.tif 000008
【図７】
2012098993.tif 000009
【図８】
2012098993.tif 000010
【図９】
2012098993.tif 000011
【図１０】
2012098993.tif 000012
【国際調査報告】
2012098993.tif 000013
2012098993.tif 000014
2012098993.tif 000015
2012098993.tif 000016